(57)【特許請求の範囲】
【請求項１】
本体に単相誘導圧縮機と凝縮コイルと減圧手段と蒸発コイルからなる冷凍サイクルと単相誘導圧縮機の駆動回路に減速手段を備え、減速手段は、抵抗器とこの抵抗器の両端を短絡するリレーとして、起動時と停止時に前記リレーを開放して前記抵抗器と単相誘導圧縮機のインピーダンス比率によって単相誘導圧縮機へ供給する電圧を降圧さることを特徴とする換気空調装置。
【発明の詳細な説明】
【技術分野】
【０００１】
本発明は、ヒートポンプを利用して浴室などの換気空調を行う換気空調装置に関するものである。
【背景技術】
【０００２】
従来のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
また、圧縮機の振動を低減する方式として、圧縮機への電圧供給の入切を行う第１リレーと、この圧縮機の補助巻線に直列にコンデンサを配し、このコンデンサと補助巻線の間に第２リレーを設け、圧縮機を起動する際には、第１リレー、第２リレーともに短絡することで、補助巻線とコンデンサからなる回転磁界により圧縮機を起動させ、圧縮機を停止する際には、先ず第２リレーを開放することで、補助巻線とコンデンサからなる回転磁界を無くし、圧縮機の回転慣性による回転磁界による回転へ切換えることで、回転トルクを弱め、回転数を低減させた後、第１リレーを開放し圧縮機を完全に停止する方式がある（例えば、特許文献２参照）。
【先行技術文献】
【特許文献】
【０００４】
【特許文献１】特開２００５−１８０７１２号公報
【特許文献２】特許第３９３０３９７号公報
【発明の概要】
【発明が解決しようとする課題】
【０００５】
このような従来の換気空調装置では、誘導モータを用いた圧縮機の振動要因のひとつに、起動時や停止時に発生する振動がある。
【０００６】
この振動要因は、起動時に圧縮機が定常回転数（電源周波数−スベリ）に向かい加速する際に発生する加速振動と停止時に静止に向かい減速する際に発生する減速振動であり、発生する時間は短いが、定常回転数にて回転しているときよりも振動が大きく、圧縮機に接続された冷媒配管に応力が掛かり、配管割れなどを生じさせる原因にもなっている。
【０００７】
特許文献２に例示されるような従来の圧縮機振動を低減する方式では、補助巻線とコンデンサからなる回転磁界の有無により圧縮機の回転数を低減する構成であり、圧縮機の起動時には作用せず、回転慣性が残る停止時にしか作用することができないという課題があった。
【０００８】
また、換気空調装置の多くは浴室（ユニットバスなど）の天井に平置きされ固定される据置き施工か、浴室の上部から吊り下げられた取付け用金具に固定する吊り下げ施工により設置される。
【０００９】
このため換気空調装置から発生した振動は、取付け金具や浴室の天井から浴室内に音や振動として伝わるが、浴室のような狭い空間では反響が大きく、騒音や異常音として問題になるという課題があった。
【００１０】
また、浴室は利用者が裸になり利用することから、暖房の吹出し温度を高める必要があり、そのため圧縮機に掛かる負荷も通常の居室（リビングなど）空調と比べると高いため、特に圧縮機停止時に発生する減速振動が大きくなるという課題があった。
【００１１】
また、浴室は一般的に狭く限られた空間（１〜２坪ほど）のため、浴室温度は比較的早く暖めることができるが、温度を平均的に保つために必要な圧縮機のＯＮ／ＯＦＦは頻度が多くなり前述の課題の発生頻度が多くなるという課題がある。
【００１２】
本発明は、このような従来の課題を解決するものであり、圧縮機の起動、停止時に発生する加減速振動を低減すると共に、圧縮機に接続された冷媒配管への振動応力を低減することができる換気空調装置を提供することを目的としている。
【課題を解決するための手段】
【００１３】
本発明の換気空調装置は、上記目的を達成するため本体に単相誘導圧縮機と凝縮コイルと減圧手段と蒸発コイルからなる冷凍サイクルと単相誘導圧縮機の駆動回路に減速手段を備え、減速手段は、抵抗器とこの抵抗器の両端を短絡するリレーとして、起動時と停止時に前記リレーを開放して前記抵抗器と単相誘導圧縮機のインピーダンス比率によって単相誘導圧縮機へ供給する電圧を降圧さることを特徴とする。
【００１４】
そして、本発明によれば単相誘導圧縮機の起動、停止時に発生する加減速振動を低減すると共に、単相誘導圧縮機に接続された冷媒配管への振動応力を低減することができる換気空調装置が得られる。
【発明の効果】
【００１５】
本発明によれば本体に単相誘導圧縮機と凝縮コイルと減圧手段と蒸発コイルからなる冷凍サイクルと単相誘導圧縮機の駆動回路に減速手段を備え、減速手段は、抵抗器とこの抵抗器の両端を短絡するリレーとして、起動時と停止時に前記リレーを開放して前記抵抗器と単相誘導圧縮機のインピーダンス比率によって単相誘導圧縮機へ供給する電圧を降圧さることにより、簡易で安価な構成にて、単相誘導圧縮機の回転トルクを低下させ、負荷により減速することができるため、単相誘導圧縮機の起動、停止時に発生する加減速振動を低減すると共に、単相誘導圧縮機に接続された冷媒配管への振動応力を低減することができる。
【００１６】
また、抵抗器を介すことにより単相誘導圧縮機の起動時に発生する起動電流を低減することができるという効果のある換気空調装置を提供できる。
【図面の簡単な説明】
【００１７】
【図１】本発明の実施の形態１記載の換気空調装置を示す概略断面図
【図２】同単相誘導圧縮機の駆動回路の構成図
【図３】同単相誘導圧縮機の駆動回路の動作説明図（（ａ）起動時の動作説明図、（ｂ）停止時の動作説明図）
【図４】同参考例１記載の単相誘導圧縮機の駆動回路の構成図
【図５】同参考例１記載の単相誘導圧縮機の駆動回路動作説明図（（ａ）起動時の動作説明図、（ｂ）停止時の動作説明図）
【図６】同参考例２記載の単相誘導圧縮機の駆動回路の構成図
【図７】同参考例２記載の単相誘導圧縮機の駆動回路の動作説明図（（ａ）起動時の動作説明図、（ｂ）停止時の動作説明図）
【図８】同参考例３記載の単相誘導圧縮機の駆動回路の構成図
【図９】同単相誘導圧縮機の駆動回路の動作説明図（（ａ）起動時の動作説明図、（ｂ）停止時の動作説明図）
【図１０】同単相誘導圧縮機の駆動回路の動作説明図（（ａ）起動時の動作説明図、（ｂ）停止時の動作説明図）
【図１１】同参考例４記載の換気空調装置を示す概略断面図
【図１２】同単相誘導圧縮機の駆動回路の構成図
【図１３】同単相誘導圧縮機の駆動回路の動作説明図（（ａ）起動時の動作説明図、（ｂ）停止時の動作説明図）
【図１４】同参考例５記載の換気空調装置を示す概略断面図
【図１５】同単相誘導圧縮機の駆動回路の構成図
【図１６】同参考例６記載の換気空調装置を示す概略断面図
【図１７】同単相誘導圧縮機の駆動回路の構成図
【図１８】同参考例７記載の換気空調装置を示す概略断面図
【図１９】同単相誘導圧縮機の駆動回路の構成図
【図２０】同単相誘導圧縮機の駆動回路の動作説明図（（ａ）起動時の動作説明図、（ｂ）停止時の動作説明図）
【発明を実施するための形態】
【００１８】
本発明の請求項１記載の発明は、本体に単相誘導圧縮機と凝縮コイルと減圧手段と蒸発コイルからなる冷凍サイクルと単相誘導圧縮機の駆動回路に減速手段を備え、減速手段は、抵抗器とこの抵抗器の両端を短絡するリレーとして、起動時と停止時に前記リレーを開放して前記抵抗器と単相誘導圧縮機のインピーダンス比率によって単相誘導圧縮機へ供給する電圧を降圧さるものであり、単相誘導圧縮機へ供給する電圧は、単相誘導圧縮機と抵抗器のインピーダンス比率にて低減し、流れる電流は単相誘導圧縮機と抵抗器の合成インピーダンスにより低減することにより、単相誘導圧縮機の回転トルク低下させることができるという作用を有する。
【００１９】
以下、本発明の実施の形態について図面を参照しながら説明する。
【００２０】
（実施の形態１）
本発明の実施の形態１の換気空調装置について図１、図２および図３を参照しながら説明する。
【００２１】
図１は本発明の換気空調装置の一例を示すものであり、図２は本発明の単相誘導圧縮機１の駆動回路１１の構成を示す図で、図３は駆動回路の動作の一例を示す図である。
【００２２】
図１に示すように、単相誘導圧縮機１と凝縮コイル２と減圧手段３と蒸発コイル４とをつなぎ冷媒を通す冷媒配管５からなる冷凍サイクルと室内（例えば浴室）の空気を吸込口６から吸込み、蒸発コイル４を介して換気口７へと空気を換気する換気ファン８と、室内の空気を吸込口６から吸込み、凝縮コイル２を介して吹出口９から再度室内へと吹出す循環ファン１０と単相誘導圧縮機１の駆動回路１１を備えた本体１２は、室内の天井に据置き設置（図示せず）されており、単相誘導圧縮機１により高温高圧化された冷媒は冷凍配管５を通り凝縮コイル２にて循環ファン１０により室内から吸込まれた空気に熱を放熱し、減圧手段３へと移動し減圧され低温低圧となり蒸発コイル４へと移動し、換気ファン８により室内から吸込まれた空気の熱を吸収し単相誘導圧縮機１へと戻る。
【００２３】
このように、換気口７から換気される空気から熱を吸収し、吹出口９から室内を循環する空気へ熱を放熱することで室内を空調する。
【００２４】
図２に示すように、単相誘導圧縮機１の駆動回路１１は、抵抗器１３とこの抵抗器１３の両端を短絡する減速リレー１４にて構成した減速手段１５と単相誘導圧縮機１への電源供給を入切する起動リレー１６備えた構成としている。
【００２５】
上記構成により、単相誘導圧縮機１を起動する際は、起動リレー１６を短絡し、抵抗器１３と単相誘導圧縮機１のインピーダンス比率にて、図３（ａ）に示すように、単相誘導圧縮機１へ供給する電圧を降圧させ、且つ、抵抗器１３を介しているため電流も低減され単相誘導圧縮機１への通電を行い、予め設定した時間（ｔ１）後に減速リレー１４を短絡させることで、単相誘導圧縮機１へ交流電源電圧と等しい定格電圧を供給する。
【００２６】
また、単相誘導圧縮機１を停止する際は、図３（ｂ）に示すように、減速リレー１４を開放した後、予め設定した時間（ｔ２）後に起動リレー１６を開放することで、単相誘導圧縮機１への電源供給を遮断する。
【００２７】
そして、単相誘導圧縮機１へ供給する電圧は、単相誘導圧縮機１と抵抗器１３のインピーダンス比率にて低減し、流れる電流は単相誘導圧縮機１と抵抗器１３の合成インピーダンスにより低減することにより、単相誘導圧縮機１へ供給する電圧と電流を定量的に低減し、単相誘導圧縮機１が発生させる回転トルクを低下させ、電源供給周波数にて決定される単相誘導圧縮機１の回転数を、低下した回転トルクの作用で、負荷により減速することができるため、簡易で安価な構成にて、単相誘導圧縮機１の起動、停止時に発生する加減速振動を二段階に分散し低減すると共に、単相誘導圧縮機１に接続された冷媒配管５への振動応力を低減することができ、抵抗器１３を介すことにより単相誘導圧縮機１の起動時に発生する起動電流を低減することができる。
【００２８】
（参考例１）
本発明の参考例１の換気空調装置について図４、５を参照しながら説明する。
【００２９】
なお、参考例１の説明において既に実施の形態１で説明した同一部品については同一符号を付与し説明を省略する。
【００３０】
図４は本発明の単相誘導圧縮機１の駆動回路１１の構成と動作の一例を示すものである。
【００３１】
図４に示すように、減速手段１５は、一般にＰＴＣとよばれている正特性サーミスタで構成した第１正特性サーミスタ１７とこの第１正特性サーミスタ１７の両端を短絡する減速リレー１４とした構成とする。
【００３２】
上記構成において、単相誘導圧縮機１を起動する際は、図５（ａ）に示すように、起動リレー１６を短絡し、第１正特性サーミスタ１７と単相誘導圧縮機１のインピーダンス比率にて、単相誘導圧縮機１へ供給する電圧を降圧させ、且つ、第１正特性サーミスタ１７を介しているため電流も低減され単相誘導圧縮機１への通電を行い、予め設定した時間（ｔ１）後に減速リレー１４を短絡させることで、単相誘導圧縮機１へ交流電源電圧と等しい定格電圧を供給する。
【００３３】
次に、単相誘導圧縮機１を停止する際は、図５（ｂ）に示すように、減速リレー１４を開放した後、予め設定した時間（ｔ２）後に起動リレー１６を開放することで、単相誘導圧縮機１への電源供給を遮断する。
【００３４】
そして、単相誘導圧縮機１へ供給する電圧は、単相誘導圧縮機１と第１正特性サーミスタ１７のインピーダンス比率にて低減し、流れる電流は単相誘導圧縮機１と第１正特性サーミスタ１７の合成インピーダンスにより低減することにより、単相誘導圧縮機１が発生させる回転トルク低下させることができ、電源供給周波数にて決定される単相誘導圧縮機１の回転数を、低下した回転トルクの作用で負荷により減速することができるため、単相誘導圧縮機１の起動、停止時に発生する加減速振動を二段階に分散し低減すると共に、単相誘導圧縮機１に接続された冷媒配管５への振動応力を低減することができ、また、第１正特性サーミスタ１７を介すことにより単相誘導圧縮機１の起動時に発生する起動電流を低減することができる。
【００３５】
また、第１正特性サーミスタ１７は発熱により所定の温度に達した場合に抵抗値が急激に上昇する特性を保有しており、発熱により所定の温度に達した場合には単相誘導圧縮機１への電圧、電流供給量を減少させることができるため、起動時には減速リレー１４の接点が短絡しない場合、停止時には起動リレー１６の接点が開放しない場合などは第１正特性サーミスタ１７が発熱することにより抵抗値が急激に上昇し、供給電圧の大半を第１正特性サーミスタ１７にて消費することができ、単相誘導圧縮機１への電圧、電流供給を遮断することができる。
【００３６】
（参考例２）
本発明の参考例２の換気空調装置について図６、７を参照しながら説明する。
【００３７】
なお、参考例２の説明において既に実施の形態１および参考例１で説明した同一部品については同一符号を付与し説明を省略する。
【００３８】
図６は本発明の単相誘導圧縮機１の駆動回路１１の構成と動作の一例を示すものである。
【００３９】
図６に示すように、第１正特性サーミスタ１７の両端に抵抗容量の異なる正特性サーミスタ（ＰＴＣ）で構成した第２正特性サーミスタ１８を備えた構成とする。
【００４０】
上記構成において、単相誘導圧縮機１を起動する際は、図７（ａ）に示すように、起動リレー１６を短絡することにより、単相誘導圧縮機１へ供給する電圧は、第１正特性サーミスタ１７と第２正特性サーミスタ１８の合成抵抗値と単相誘導圧縮機１のインピーダンス比率にて低減し、流れる電流は第１正特性サーミスタ１７と第２正特性サーミスタ１８の合成抵抗値と単相誘導圧縮機１の合成インピーダンスにより低減し単相誘導圧縮機１へ通電を行い、予め設定した時間（ｔ１）後に減速リレー１４を短絡させることで、単相誘導圧縮機１へ交流電源電圧と等しい定格電圧を供給する。
【００４１】
次に、単相誘導圧縮機１を停止する際は、図７（ｂ）に示すように、減速リレー１４を開放することにより、単相誘導圧縮機１へ供給する電圧は、第１正特性サーミスタ１７と第２正特性サーミスタ１８の合成抵抗値と単相誘導圧縮機１のインピーダンス比率にて低減し、流れる電流は第１正特性サーミスタ１７と第２正特性サーミスタ１８の合成抵抗値と単相誘導圧縮機１の合成インピーダンスにより低減し、さらに、第１正特性サーミスタ１７と第２正特性サーミスタ１８それぞれが発熱することにより、合成抵抗値が変化し単相誘導圧縮機１へ供給する電圧、電流を変化させることにより、単相誘導圧縮機１が発生する回転トルクを可変しながら低下させながら、単相誘導圧縮機１へ通電を行い、予め設定した時間（ｔ２）後に起動リレー１６を開放することで、単相誘導圧縮機１への電源供給を遮断する。
【００４２】
そして、電源供給周波数にて決定される単相誘導圧縮機１の回転数を第１正特性サーミスタ１７および第２正特性サーミスタ１８により低下した回転トルクの作用で減速することができるため、単相誘導圧縮機１の起動、停止時に発生する加減速振動を分散し低減すると共に、単相誘導圧縮機１に接続された冷媒配管５への振動応力を低減することができる。
【００４３】
また、第１正特性サーミスタ１７および第２正特性サーミスタ１８を介すことにより、単相誘導圧縮機１の起動時に発生する起動電流を低減することができ、さらに、起動時には減速リレー１４の接点が短絡しない場合、停止時には起動リレー１６の接点が開放しない場合などは第１正特性サーミスタ１７および第２正特性サーミスタ１８が発熱することにより抵抗値が急激に高まる特性から、供給電圧の大半を第１正特性サーミスタ（ＰＴＣ）１７および第２正特性サーミスタ１８にて消費することができ、単相誘導圧縮機１への電圧、電流供給を遮断することができる。
【００４４】
（参考例３）
本発明の参考例３の換気空調装置について図８、図９および図１０を参照しながら説明する。
【００４５】
なお、参考例３の説明において既に実施の形態１および、参考例１、２で説明した同一部品については同一符号を付与し説明を省略する。
【００４６】
図８は本発明の単相誘導圧縮機１の駆動回路１１の構成の一例を示すものであり、図９は本発明の単相誘導圧縮機１の駆動回路１１の動作として、電圧を一段階で可変する例を示すものである。また、図１０は本発明の単相誘導圧縮機１の駆動回路１１の動作として、電圧を多段階に可変する例の代表として電圧を二段階で可変する例を示すものである。
【００４７】
図８に示すように、単相誘導圧縮機１の駆動回路１１は、双方向サイリスタ１９にて構成した通電切換手段２０とし、通電切換手段２０の通電タイミングを制御する制御手段２１を備えた構成としている。
【００４８】
上記構成において、単相誘導圧縮機１を起動する際は、図９（ａ）に示すように、交流電圧のゼロクロスポイントから所定の時間（ｔａ）後に設定した通電タイミングにて、制御手段２１より通電切換手段２０へ駆動信号が交流電源の半サイクル毎に送信され、受信した通電切換手段２０は駆動信号に応じたタイミングにて単相誘導圧縮機１へ電圧を供給し、半欠け状態の電圧波形と成り、１サイクルあたりの有効電力が低下した電圧として一段階可変した電圧Ｖ４を単相誘導圧縮機１へ供給するため、単相誘導圧縮機１の回転はこの有効電力に応じた回転となる。
【００４９】
また、起動開始から所定の時間（ｔ３）が経過すると、制御手段２１より通電切換手段２０へ送られる駆動信号が常時通電（通電タイミングを調整せずに交流電源をそのまま通電すること）へと切換り、交流電源電圧と等しい定格電圧を単相誘導圧縮機１へ供給する。
【００５０】
次に、単相誘導圧縮機１を停止する際は、図９（ｂ）に示すように、交流電圧のゼロクロスポイントから所定の時間（ｔｂ）後に設定した通電タイミングにて、制御手段２１より通電切換手段２０へ駆動信号が交流電源の半サイクル毎に送信され、一段階可変した電圧Ｖ６が印加されることとなり、単相誘導圧縮機１の回転はこの有効電力に応じた回転となり、停止動作開始から所定の時間（ｔ４）が経過すると、制御手段２１より通電切換手段２０へ送られる駆動信号が通電遮断へと切換り、単相誘導圧縮機１へ供給する電圧を遮断する。
【００５１】
また、図１０に示すものは、この通電タイミングを多段階に可変し、単相誘導圧縮機１の回転数を変化させる作用を用いて、多段階に設定するものであり、その一例として２段階に設定する例を示したものが図７である。
【００５２】
図１０（ａ）に示すように、起動する際は、交流電圧のゼロクロスポイントから所定の時間（ｔｃ）後に設定した通電タイミングにて、制御手段２１より通電切換手段２０へ駆動信号が交流電源の半サイクル毎に送信され、一段階めの可変した電圧Ｖ７が単相誘導圧縮機１へ印加され、単相誘導圧縮機１の回転はこの有効電力に応じた回転となり、起動開始から所定の時間（ｔ５）が経過すると、制御手段２１より通電切換手段２０へ送られる駆動信号の通電タイミングが切換り、交流電圧のゼロクロスポイントから所定の時間（ｔｄ）後に設定した通電タイミングとなり、二段階めの可変した電圧Ｖ８が単相誘導圧縮機１に印加され、単相誘導圧縮機１の回転はこの有効電力に応じた回転となり、更に所定の時間（ｔ６）が経過すると、制御手段２１より通電切換手段２０へ送られる駆動信号が常時通電へと切換り、交流電源電圧と等しい定格電圧を単相誘導圧縮機１へ供給する。
【００５３】
次に、単相誘導圧縮機１を停止する際は、図１０（ｂ）に示すように、交流電圧のゼロクロスポイントから所定の時間（ｔｅ）後に設定した通電タイミングにて、制御手段２１より通電切換手段２０へ駆動信号が交流電源の半サイクル毎に送信され、一段階めの可変した電圧Ｖ１０が単相誘導圧縮機１へ印加され、単相誘導圧縮機１の回転はこの有効電力に応じた回転となり、停止動作開始から所定の時間（ｔ７）が経過すると、制御手段２１より通電切換手段２０へ送られる駆動信号の通電タイミングが切換り、交流電圧のゼロクロスポイントから所定の時間（ｔｆ）後に設定した通電タイミングとなり、二段階めの可変した電圧Ｖ９が単相誘導圧縮機１に印加され、単相誘導圧縮機１の回転はこの有効電力に応じた回転となり、更に所定の時間（ｔ８）が経過すると、制御手段２１より通電切換手段２０へ送られる駆動信号が通電遮断へと切換り、単相誘導圧縮機１へ供給する電圧を遮断する。
【００５４】
また、通電切換手段２０は、双方向サイリスタ１９を用いているため、制御手段２１からの駆動信号は短時間のパルスで良く、一度双方向サイリスタ１９通電を開始すると、駆動信号が途絶えても、交流電源の半サイクル期間は単相誘導圧縮機１への電源を供給し続ける。
【００５５】
そして、単相誘導圧縮機１へ供給する電圧を制御し、単相誘導圧縮機１へ供給する電力を可変することで、単相誘導圧縮機１の回転数を可変することができ、単相誘導圧縮機１の起動、停止時に発生する加減速振動を低減すると共に、単相誘導圧縮機１に接続された冷媒配管５への振動応力を低減することができる。
【００５６】
また、通電タイミングにより電圧供給時間を短縮するので、単相誘導圧縮機１の起動時に発生する起動電流を低減することができる。
【００５７】
また、制御手段２１は予め設定した二種類の出力設定（通電タイミング）により、単相誘導圧縮機１へ供給する電力を二段階に別けて供給することができ、単相誘導圧縮機１の起動、停止時に発生する加減速振動を二段階に分散し低減することができる。
【００５８】
また、単相誘導圧縮機１の起動時に発生する起動電流を複数段階に分散し低減することができる。
【００５９】
なお、本発明の実施の形態４では、単相誘導圧縮機１の駆動信号の変化を一段階と二段階にて説明したが、更に多くの複数段階に設けても良い。
【００６０】
（参考例４）
本発明の参考例４の換気空調装置について図１１、図１２および図１３を参照しながら説明する。
【００６１】
なお、参考例４の説明において既に実施の形態１および、参考例１から３で説明した同一部品については同一符号を付与し説明を省略する。
【００６２】
図１１は本発明の換気空調装置の一例を示すものであり、図１２は本発明の単相誘導圧縮機１の駆動回路１１の構成の一例を示すものであり、図１３は本発明の単相誘導圧縮機１の駆動回路１１の動作の一例を示すものである。
【００６３】
図１１および図１２に示すように、室内の温度を検出する室内温度検出手段２３と通電切換手段２０への通電タイミングに最低出力通電タイミング値の設定をする構成を有し、この通電タイミングを前記室内温度に応じて所定の可変時間と比例関係に可変制御する制御手段２２を保有した駆動回路１１とを本体１２に備えた構成としている。最低出力通電タイミング値とは単相誘導圧縮機１への供給電圧の起動開始時の電圧に対応させて予め設定する値を示す。
【００６４】
上記構成において、単相誘導圧縮機１を起動する際は、図１３（ａ）に示すように、制御手段２２は単相誘導圧縮機１への供給電圧がＶ１１となるよう、最低出力通電タイミング値（ＳＴＮ）を設定し、交流電圧のゼロクロスポイントから所定の時間（ｔｇ）後に、制御手段２２より通電切換手段２０へ駆動信号が送信され、その後交流電源の半サイクル毎に所定の時間（ｔｇ）を短縮（例えば＜次回ｔｇ＝（今回ｔｇ）−１ｍｓ＞）し送信され、受信した通電切換手段２０は駆動信号に応じたタイミングにて単相誘導圧縮機１へ電圧を供給し、半欠け状態の電圧波形と成り、１サイクルあたりの有効電力を低減した電圧として単相誘導圧縮機１へ供給するため、単相誘導圧縮機１の回転はこの有効電力に応じた回転となる。
【００６５】
また、所定の時間（ｔｇ）を交流電源の半サイクル毎に短縮するため、単相誘導圧縮機１への供給電圧は徐々に高まり、最終的には交流電源電圧と等しい定格電圧を単相誘導圧縮機１へ供給する。
【００６６】
次に、単相誘導圧縮機１を停止する際は、図１３（ｂ）に示すように、交流電圧のゼロクロスポイントから所定の時間（ｔｈ）後に設定した通電タイミングにて、制御手段２２より通電切換手段２０へ駆動信号を送信し、その後、交流電源の半サイクル毎に所定の時間（ｔｈ）を拡大（例えば＜次回ｔｈ＝（今回ｔｈ）＋１ｍｓ＞）し送信され、単相誘導圧縮機１の回転はこの有効電力に応じた回転となる。
【００６７】
また、単相誘導圧縮機１への供給電圧がＶ１１となる最低出力通電タイミング値（ＳＴＮ）の所定の時間（ｔｈ）となると、制御手段２２より通電切換手段２０へ送られる駆動信号が通電遮断へと切換り、単相誘導圧縮機１へ供給する電圧を遮断する。
【００６８】
また、制御手段２２は室内温度検出手段２３の入力により、室温が高いとき（例えば３５℃以上）は、冷媒温度が上昇し、圧力が高まることから冷凍サイクルの負荷が全体的に高まり、単相誘導圧縮機１が回転するのに必要なトルクが上がるため、最低出力通電タイミング値を（Ｍａｘ）に設定し、単相誘導圧縮機１への供給電圧をＶ１３として起動、停止を行い、また、室温が低いとき（例えば１５℃以下）は、冷媒温度が低くなり、圧力が低くなることから冷凍サイクルの負荷が全体的に低くなり、単相誘導圧縮機１が回転するのに必要なトルクが下がるため、最低出力通電タイミング値を（Ｍｉｎ）に設定し、単相誘導圧縮機１への供給電圧をＶ１２として起動、停止を行うことができる。
【００６９】
上記構成により、制御手段２２は予め設定した最低出力通電タイミングから、最高出力となる通電タイミングまでを、所定の時間にて可変することにより、単相誘導圧縮機１へ供給する電力を可変時間に対して一定に可変して供給することができ、単相誘導圧縮機１の加速、減速を供給電力の変化に同期させることにより、単相誘導圧縮機１の起動、停止時に発生する加減速振動を抑制すると共に、起動時に発生する起動電流を低減することができる。
【００７０】
また、単相誘導圧縮機１の起動時、停止時は制御手段２２により最低出力通電タイミングから最高出力通電タイミングの範囲内で制御され、単相誘導圧縮機１への不必要な電力供給を抑制し、素早い起動、停止をすることができる。
【００７１】
また、制御手段２２は単相誘導圧縮機１の負荷状態を室内温度検出手段２３の値より算定し、単相誘導圧縮機１の負荷状態に合わせた起動、停止をすることにより、単相誘導圧縮機１への不必要な電力供給を抑制し、適正な素早い起動、停止をすることができる。
【００７２】
（参考例５）
本発明の参考例５の換気空調装置について図１３、図１４および図１５を参照しながら説明する。
【００７３】
なお、参考例５の説明において既に実施の形態１および、参考例１から４で説明した同一部品については同一符号を付与し説明を省略する。
【００７４】
図１４は本発明の換気空調装置の一例を示すものであり、図１５は本発明の単相誘導圧縮機１の駆動回路１１の構成の一例を示すものである。
【００７５】
図１４、１５に示すように、単相誘導圧縮機１の冷媒回路の吐出温度を検出する吐出温度検出手段２４と前記吐出温度に応じて切換手段の通電タイミングを制御する制御手段２２を設けた構成とする。
【００７６】
上記構成により、制御手段２２は吐出温度検出手段２４の入力により、吐出温度が高いとき（例えば１００℃以上）は、単相誘導圧縮機１の吐出圧力が高まっており、単相誘導圧縮機１が回転する際の圧縮工程の必要トルクが高いため、最低出力通電タイミング値を（Ｍａｘ）に設定し、単相誘導圧縮機１への供給電圧を図１３（ａ）および（ｂ）に示すＶ１３として起動、停止を行い、また、吐出温度が低いとき（例えば５０℃以下）は、単相誘導圧縮機１の吐出圧力が低く、単相誘導圧縮機１が回転する際の圧縮工程の必要トルクが低いため、最低出力通電タイミング値を（Ｍｉｎ）に設定し、単相誘導圧縮機１への供給電圧を図１３（ａ）および（ｂ）に示すＶ１２として起動、停止を行うことができる。
【００７７】
そして、制御手段２２は単相誘導圧縮機１の負荷状態を吐出温度検出手段２４の値より算定し、最低出力通電タイミングを単相誘導圧縮機１の必要トルクに合わせて可変することができ、使用環境により変化する単相誘導圧縮機１の負荷状態に合わせた起動、停止をすることにより、単相誘導圧縮機１への不必要な電力供給を抑制し、適正な素早い起動、停止をすることができる。
【００７８】
（参考例６）
本発明の参考例６の換気空調装置について図１３、図１６および図１７を参照しながら説明する。
【００７９】
なお、参考例６の説明において既に実施の形態１および、参考例１から５で説明した同一部品については同一符号を付与し説明を省略する。
【００８０】
図１６は本発明の換気空調装置の一例を示すものであり、図１７は本発明の単相誘導圧縮機１の駆動回路１１の構成の一例を示すものである。
【００８１】
図１６および図１７に示すように、単相誘導圧縮機１の吐出圧力を検出する吐出圧力検出手段２５と前記吐出圧力に応じて切換手段の通電タイミングを制御する制御手段２２を設けた構成とする。
【００８２】
上記構成により、制御手段２２は吐出圧力検出手段２５の入力により、吐出圧力が高いとき（例えば４ＭＰａ以上）は、単相誘導圧縮機１が回転する際の圧縮工程の必要トルクが高いため、最低出力通電タイミング値を（Ｍａｘ）に設定し、単相誘導圧縮機１への供給電圧を図１３（ａ）および（ｂ）に示すＶ１３として起動、停止を行い、また、吐出圧力が低いとき（例えば２ＭＰａ以下）は、単相誘導圧縮機１が回転する際の圧縮工程の必要トルクが低いため、最低出力通電タイミング値を（Ｍｉｎ）に設定し、単相誘導圧縮機１への供給電圧を図１３（ａ）および（ｂ）に示すＶ１２として起動、停止を行うことができる。
【００８３】
そして、吐出圧力検出手段２５は、単相誘導圧縮機１の負荷状態を示す吐出圧力を検出することで可変する負荷状態を精度よく検出し、制御手段２２は単相誘導圧縮機１の負荷状態を吐出圧力検出手段２５の値より算定し、最低出力通電タイミングを単相誘導圧縮機１の必要トルクに合わせて可変することができ、使用環境により変化する単相誘導圧縮機の負荷状態に合わせた起動、停止をすることにより、単相誘導圧縮機への不必要な電力供給を抑制し、適正な素早い起動、停止をすることができる。
【００８４】
（参考例７）
本発明の参考例７の換気空調装置について図１８、図１９および図２０を参照しながら説明する。
【００８５】
なお、参考例７の説明において既に実施の形態１および、参考例１から６で説明した同一部品については同一符号を付与し説明を省略する。
【００８６】
図１８は本発明の換気空調装置の一例を示すものであり、図１９は本発明の単相誘導圧縮機１の駆動回路１１の構成の一例を示すものであり、図２０は本発明の単相誘導圧縮機１の駆動回路１１の動作の一例を示すものである。
【００８７】
図１８、図１９に示すように、減圧手段３は電動膨張弁２６とし、膨張弁開度を開閉する機能を有した制御手段２７を設けた構成とし、さらに制御手段２７は、単相誘導圧縮機１を起動する際は、電動膨張弁２６の開度を全開にした後に起動を開始させ、単相誘導圧縮機１を停止する際は、電動膨張弁２６の開度を全開にした後、単相誘導圧縮機１の吐出圧力と吸込圧力が均圧（例えば圧力差が０．１ＭＰａ以内）する時間後に停止動作を開始させることができる構成とする。
【００８８】
また、単相誘導圧縮機１の駆動回路１１は、交流電源電圧を全波整流するダイオードブリッジ２８と単相誘導圧縮機１への接続を切換える第一切換リレー２９、第二切換リレー３０にて構成した周波数切換手段３１とし、ダイオードブリッジ２８の＋出力と第一切換リレー２９との間に第１抵抗器３２を接続し、ダイオードブリッジ２８の−出力と第二切換リレー３０との間に第２抵抗器３３を接続し、単相誘導圧縮機１への電圧供給を入切する起動リレー１６を設けた構成とする。そして、本実施の形態の交流電源電圧は、商用の交流電源電圧を示すものである。
【００８９】
上記構成により、図２０（ａ）に示すように、単相誘導圧縮機１を起動する際は、第１切換リレー２９と第２切換リレー３０の接点を共にノーマルクローズ（Ｎｃ）側とし、起動リレー１６を短絡させ、単相誘導圧縮機１へ電源の供給を開始する（通電パターンＡ）。その後、交流電圧の半サイクル毎に通電パターンをＢ、Ｃ、Ｄ、Ａと切換えることで、単相誘導圧縮機１への供給電圧周波数が擬似的に交流電圧の１／２周波数へと変換され供給され、起動から所定の時間（ｔ１０）後に、第１切換リレー２９と第２切換リレー３０の接点を共にノーマルクローズ（Ｎｃ）側に固定することで交流電圧と等しい電圧と周波数を単相誘導圧縮機１へ供給することとなる。
【００９０】
また、単相誘導圧縮機１を停止する際は、図２０（ｂ）に示すように、通電パターンＡから交流電圧の半サイクル毎に通電パターンをＢ、Ｃ、Ｄ、Ａと切換え、単相誘導圧縮機１への供給電圧周波数を擬似的に交流電圧の１／２周波数へと変換し、停止動作開始から所定の時間（ｔ１１）後に、起動リレー１６を開放させ、単相誘導圧縮機１へ電源の供給を停止する。
【００９１】
また、通電パターンＢのときには、第２抵抗器３３を介して単相誘導圧縮機１へ電圧を供給するため、供給電圧は第２抵抗器３３と単相誘導圧縮機１のインピーダンス比率により降圧され、通電パターンＣのときには、第１抵抗器３２を介して単相誘導圧縮機１へ電圧を供給するため、供給電圧は第１抵抗器３２と単相誘導圧縮機１のインピーダンス比率により降圧された電圧となる。
【００９２】
そして、単相誘導圧縮機１へ電源供給する周波数を擬似的に交流電源電圧の１／２周波数とすることにより、単相誘導圧縮機１の回転数を低下することができ、単相誘導圧縮機１の起動、停止時に発生する加減速振動を低減すると共に、単相誘導圧縮機１に接続された冷媒配管への振動応力を低減することができる。
【００９３】
また、単相誘導圧縮機１へ供給する電圧は、単相誘導圧縮機１と第１抵抗器３２と第２抵抗器３３のインピーダンス比率にて低減し、流れる電流は単相誘導圧縮機１と第１抵抗器３２と第２抵抗器３３の合成インピーダンスにより低減することにより、単相誘導圧縮機１の回転トルクを低下させることができ、低下した単相誘導圧縮機１の回転数に見合った電圧を供給することで余分な加減速振動を低減し、磁気飽和による損失を抑制できる。
【００９４】
また、単相誘導圧縮機の起動時または停止時に、膨張弁の開度を一時的に開くことで単相誘導圧縮機１の吐出圧力が低減し、単相誘導圧縮機１の回転に必要なトルクも低減することから、負荷の変動範囲を抑制し、振動低減の効果を安定させることができる。
【００９５】
なお、参考例７では、第１抵抗器３２と第２抵抗器３３を備えた構成として説明したが、第１抵抗器３２と第２抵抗器３３を備えなくても擬似的に電源周波数の１／２周波数を単相誘導圧縮機１へ供給することができ、その際の単相誘導圧縮機１への供給電圧は、図１７の点線で示したものとなる。
【産業上の利用可能性】
【００９６】
本発明の換気空調装置は、圧縮機の起動、停止時に発生する加減速振動を抑制したことを特徴としたものであり、浴室の換気空調のみならず、リビング、寝室、キッチンあるいは洗面所等の換気空調装置にも適用することができる。
【符号の説明】
【００９７】
１    単相誘導圧縮機
２    凝縮コイル
３    減圧手段
４    蒸発コイル
５    冷媒配管
６    吸込口
７    換気口
８    換気ファン
９    吹出口
１０  循環ファン
１１  駆動回路
１２  本体
１３  抵抗器
１４  減速リレー
１５  減速手段
１６  起動リレー
１７  第１正特性サーミスタ
１８  第２正特性サーミスタ
１９  双方向サイリスタ
２０  通電切換手段
２１  制御手段
２２  制御手段
２３  室内温度検出手段
２４  吐出温度検出手段
２５  吐出圧力検出手段
２６  電動膨張弁
２７  制御手段
２８  ダイオードブリッジ
２９  第１切換リレー
３０  第２切換リレー
３１  周波数切換手段
３２  第１抵抗器
３３  第２抵抗器
【図１】
0005332290.tif 000002
【図２】
0005332290.tif 000003
【図３】
0005332290.tif 000004
【図４】
0005332290.tif 000005
【図５】
0005332290.tif 000006
【図６】
0005332290.tif 000007
【図７】
0005332290.tif 000008
【図８】
0005332290.tif 000009
【図９】
0005332290.tif 000010
【図１０】
0005332290.tif 000011
【図１１】
0005332290.tif 000012
【図１２】
0005332290.tif 000013
【図１３】
0005332290.tif 000014
【図１４】
0005332290.tif 000015
【図１５】
0005332290.tif 000016
【図１６】
0005332290.tif 000017
【図１７】
0005332290.tif 000018
【図１８】
0005332290.tif 000019
【図１９】
0005332290.tif 000020
【図２０】
0005332290.tif 000021